(57)【要約】【課題】  ゴミの取除きやフィルター交換等のメンテナンスを容易とし、効率的な雨水の取出しを可能とする。【解決手段】  上側縦樋Ａと下側縦樋Ｂとを連結する連結筒部６１と、その横に配置された、雨水の取出口部６３を有する雨水取出筒部６２とを備えた雨水取出装置６であって、連結筒部６１は、上側縦樋Ａから流下する雨水を受けて雨水取出筒部へと流通させる溜水底板と、上側に向けて溜水底板に立設された中筒とを有し、雨水取出筒部６２にはフィルターが内設されているとともに、フィルター上方の開口には着脱可能な蓋７が配設されている雨水取出装置とする。【選択図】図１
2009052327.tif 000002
【特許請求の範囲】
【請求項１】
上側縦樋と下側縦樋とを連結する連結筒部と、その横に配置された、雨水の取出口部を有する雨水取出筒部とを備えた雨水取出装置であって、連結筒部は、上側縦樋から流下する雨水を受けて雨水取出筒部へと流通させる溜水底板と、上側に向けて溜水底板に立設された中筒とを有し、雨水取出筒部にはフィルターが内設されているとともに、フィルター上方の開口には着脱可能な蓋が配設されていることを特徴とする雨水取出装置。
【請求項２】
内設されているフィルターの高さ寸法は、雨水取出筒部高さの１／２以上であることを特徴とする請求項１に記載の雨水取出装置。
【請求項３】
内設されているフィルターは、蓋の着脱に連動して着脱可能とされていることを特徴とする請求項１または２に記載の雨水取出装置。
【発明の詳細な説明】
【技術分野】
【０００１】
本発明は雨樋構造における雨水取出装置に関するものである。
【背景技術】
【０００２】
近年の水不足や地球環境保全への社会的な意識の高まりから、雨水の資源としての有効利用についての検討が進められてきている。この有効利用のための方策の一つとして雨樋を通じての雨水を取水して蓋水槽やタンクに回収するための雨樋の継手構造が開発されてきている。
【０００３】
ただ、これらの継手構造では、取水部が雨樋の一部として組み込まれていることから、雨樋に雨水とともに流れ込む木の葉や昆虫などのゴミが雨水の取出部の配管等を詰まらせてしまい取水を難しくし、ゴミが詰まった場合には、最悪の事態として縦樋等も詰まらせることになるという問題があり、しかもこれらのゴミの清掃作業も用意ではなく、ゴミの詰まり状態についての目視確認も難しいという問題点があった。
【０００４】
そこで、従来より、これらの問題点を解消するための工夫、改善が試みられている。たとえば、本出願人によって、図４のように、上部開口１１が上側の縦樋Ａと距離Ｌを置いて縦樋Ａの直下に配置され、その下端部１２が下側の縦樋Ｂに嵌合するようにした筒状の取水継手１において、フィルター２が略中央部に配置されてこのフィルター２によってゴミが下方に流れるように遮断するとともに、雨水は、フィルター２から内筒１３を通じて下側の縦樋Ｂへと流下させるとともに、これの分流として雨水溜１４から取水口１５へと流れるようにした取水継手１が提案されている（特許文献１）。
【０００５】
しかしこの取水継手においては、上部開口１１においてゴミの詰まりは目視確認できるものの、詰まったゴミの取除きは離間距離Ｌの大きさによっては必ずしも容易ではなく、フィルター２の交換等のメンテナンスも同様に必ずしも容易でなく、取水継手１そのものを取り外すことが必要になることもある。そして、下端部での嵌合だけでは、取水継手１の所定位置への固定を維持することが難しくなることもある。
【０００６】
一方、このような取水継手とは異って、図５に示したように、フィルター４を内設した雨水取出筒部３１を上側の縦樋Ａと下側の縦樋Ｂとを連結する連結筒部３２の横になる位置に配置した継手構造としての雨水除塵取水装置３も提案されている（特許文献２）。
【０００７】
この雨水除塵取水装置３では、網と濾材とによってゴミを除去するフィルター４を構成しているとともに、これを内設している雨水取出筒部３１の上方開口３３に、開閉自在とした蓋５を取付け固定している。
【０００８】
しかし、この装置では、蓋５の開閉操作は、これを手で開けたままゴミを取出さねばならないことから、フィルター４に集積されたゴミの除去に際しての障害となりやすいという問題点がある。また、この開閉操作にともなうゴミの取出しは、蓋５とフィルター４との間の距離があると大変に面倒なものとなる。
【０００９】
しかも、この装置では、連結筒部３２からの雨水取出筒部３１への雨水の誘導が斜流板３４によって行われるようにしているが、通常雨水は、上側の縦樋Ａの内壁面に沿って流下していることから、このような斜流板３４による雨水の誘導は効率的ではなく、さらには、この斜流板３４の配置位置や形状によってはここでゴミの詰まりを生じさせ、雨水の取出しを難しくするばかりか、ゴミの除去のために、結局のところ連結筒部を上側縦樋Ａと下側縦樋Ｂとから取り外さなければならないというメンテナンス上の問題も生じかねない。
【特許文献１】特開２００２−７００８６号公報
【特許文献２】実用新案登録第３１２９４９２号公報
【発明の開示】
【発明が解決しようとする課題】
【００１０】
本発明は、以上のとおりの背景から、従来技術の問題点を解消し、木の葉や昆虫などのゴミの取除きやフィルター交換等のメンテナンスが容易であって、効率的に雨水の取出しが可能とされる、改善された新しい雨水取出装置を提供することを課題としている。
【課題を解決するための手段】
【００１１】
本発明の雨水取出装置は以下のことを特徴としている。
【００１２】
第１：上側縦樋と下側縦樋とを連結する連結筒部と、その横に配置された、雨水の取出口部を有する雨水取出筒部とを備えた雨水取出装置であって、連結筒部は、上側縦樋から流下する雨水を受けて雨水取出筒部へと流通させる溜水底板と、上側に向けて溜水底板に立設された中筒とを有し、雨水取出筒部にはフィルターが内設されているとともに、フィルター上方の開口には着脱可能な蓋が配設されている。
【００１３】
第２：内設されているフィルターの高さ寸法は、雨水取出筒部高さの１／２以上である。
【００１４】
第３：内設されているフィルターは、蓋の着脱に連動して着脱可能とされている。
【発明の効果】
【００１５】
上記第１の発明によれば、雨水取出筒部が上側の縦樋と下側の縦樋とを連結する連結筒部の横に配置され、ここに内設されているフィルターによってゴミの補集がなされ、しかも雨水取出筒部内のフィルター上方の蓋が着脱可能とされていることから、蓋を取外してのゴミ集積の状態の目視確認やゴミの除去操作、そしてフィルター変換等のメンテナスは容易であり、連結筒部において雨水取出装置を上下側の縦樋の間からわざわざ取外す必要はない。しかも蓋は取付固定されておらずに着脱可能であるので、これを取外すことでゴミの取出し除去やフィルター交換操作が容易となり、蓋の存在がこれら操作の支障となることはない。
【００１６】
また、連結筒部においては、通常は上側の縦樋から内壁面を伝って流下する雨水を溜水底板をもって雨水取出筒部に流通させるので、より効率的な雨水の取出しが可能とされる。多量の雨水が上側の縦樋から流下する場合には中筒を介して下側の縦樋へとスムーズに導くことができる。
【００１７】
第２の発明によれば、フィルターの高さ寸法を雨水取出筒部高さの１／２以上としているので、ゴミの補集効率は高まり、かつ、ゴミの取除き操作も容易となる。
【００１８】
また、第３の発明によれば、蓋を取外す際に、フィルターも取出筒部から引出すことができるので、フィルター交換等のメンテナンスはさらに容易となる。
【発明を実施するための最良の形態】
【００１９】
添付した図面の図１は、本発明の雨水取出装置６の一実施形態として、これを上側の縦樋Ａと下側の縦樋Ｂとの間に連結筒部６１をもって連結取付けした状態を例示した外観正面図である。連結筒部６１の横には、取出口部６３を有する雨水取出筒部６２が配設され、この雨水取出筒部６２の上部には着脱可能な蓋７が配置されている。図２は、蓋７を取外した状態での、雨水取出装置６の横断面と縦断面とを例示したものである。この図２に示したように、連結筒部６１は、上側の縦樋Ａから通常は内壁面６４を伝って流下する雨水を受けてこれを雨水取出筒部６２へと流通させる溜水底板６５と、この溜水底板６５において上側に向けて立設された中筒６６備えている。多量の雨水が流下する場合には、この中筒６６の中空部６７を通じて下側の縦樋Ｂへと雨水が流れ落ちるようにしている。
【００２０】
このような連結筒部６１の内部構造は、雨水の取出しを優先的に行うように効率的なものとしている。
【００２１】
連結筒部６１と雨水取出筒部６２とは樹脂や板金の一体成形体であってもよいし、別体のものを連結させたものであってもよい。いずれの成形体においても、連結筒部６１の溜水底板６５に受けられた雨水が雨水取出筒部６２へと流通するように、相互の間には流路６８が開かれている。
【００２２】
中筒６６の中空部６７の径やその高さ、そして溜水底板６５の面積は、想定される雨水の流下量等に基づいて定めることができる。
【００２３】
一方、雨水取出筒部６２にはフィルター８が内設され、このフィルター８によってゴミが補集されて、雨水の取出口部６３がゴミによって詰ることのないようにしている。フィルター８については、その構成は雨樋の設置場所や状況にともなって想定されるゴミの種類や量等を考慮して適宜としてよく、たとえば、金網と濾材との組合わせ、樹脂や金属の織成体やその積層体、あるいは不織材やその積層作業であってよい。
【００２４】
そして、フィルター８については、少くとも取出口部６３の流路入口を覆う大きさを有するものとし、ゴミの補集能やその除去の効率、取出しによるメンテナンスの容易性等の観点からは、その高さ寸法Ｈは、雨水取出筒部６２の高さＨ0の１／２以上となるようにすることが好適に考慮される。さらには、その高さ寸法Ｈは、ゴミの補集能とその効率等の点で、上記連結筒部６１の中筒部の中筒６６の高さｈ以上とすることが望ましい。
【００２５】
フィルター８により補集されたゴミは、上記の蓋７を取外して、雨水取出筒部の上方開口６７から手作業によって取除けるようにしている。このゴミの取除き作業では、蓋７は完全に取外した状態で行うことができるので、その開閉がゴミの取除き作業を障げることはない。
【００２６】
蓋７を取外して補集されたゴミの量や状態を目視確認することが容易であり、上記のようなゴミの取除き操作や、フィルター８を取出しの交換等のメンテナンスも容易である。そして通常は、この蓋７は、装着しておくことで、上方開口６７からのゴミの侵入を阻止することができる。
【００２７】
図３は、蓋７を例示した斜視断面図であるが、たとえば、樹脂や金属等により成形した本体７１の、雨水取出筒部６２の上端開口の外壁面に当接する内側面には、蓋７が着脱可能であるとともに、風や振動等によっては脱落しないように密着させるシリコンゴム等によるライニング７２を施しておいてもよい。そして、蓋７については、これを取外した時の紛失防止等のために、雨水取出筒部にチェーンやワイヤ等によって連結しておいてもよいし、さらには、フィルター８と連結するチェーンやワイヤ、あるいはロッド部材等を備えていてもよい。後者の場合には、蓋７を取外した際に、フィルター８を雨水取出筒部６２内から引出して、その変換等のメンテナンス操作を行うことを容易ともする。
【００２８】
もちろん、本発明の雨水取出装置６は、その形状や大きさ等において様々な形態があってよい。また、例えば、図１にも例示したように、連結筒部６１においては、その上端開口部内に上側の縦樋Ａの下端部が挿入され、その下端部は、下側の縦樋Ｂの上端開口部内に嵌着させる構造とすることで、安定した取付け構造とすることが考慮される。そして、雨水取出筒部６２の取出口部６３には、貯水槽や貯水タンクへと雨水を導く配管の各種連結手段が設けられていてもよい。
【図面の簡単な説明】
【００２９】
【図１】本発明の雨水取出装置の一実施形態を例示した外観正面図である。
【図２】図１に例示した実施形態に係わる雨水取出装置の、蓋を取外した状態の横断面図と縦断面図である。
【図３】蓋について例示した斜視断面図である。
【図４】従来の取水継手を示した断面図である。
【図５】従来の雨水除塵取水装置を示した断面図と分解斜視図である。
【符号の説明】
【００３０】
Ａ  上側の縦樋
Ｂ  下側の縦樋
１  取水継手
１１  上部開口
１２  下端部
１３  内筒
１４  雨水溜
１５  取水口
２  フィルター
３  雨水除塵取水装置
３１  雨水取出筒部
３２  連結筒部
３３  上方開口
３４  斜流板
４  フィルター
５  蓋
６  雨水取出装置
６１  連結筒部
６２  雨水取出筒部
６３  取出口部
６４  内壁面
６５  溜水底板
６６  中筒
６７  中空部
６８  流路
７  蓋
７１  本体
７２  ライニング
８  フィルター
【図１】
2009052327.tif 000003
【図２】
2009052327.tif 000004
【図３】
2009052327.tif 000005
【図４】
2009052327.tif 000006
【図５】
2009052327.tif 000007